(57)【特許請求の範囲】
【請求項１】
球が流入可能な入賞口を有する入賞室と、
前記入賞口に対して前後の向きに開閉可能に軸支持された扉部材と、
同扉部材を閉じ位置と開き位置とに開閉動作させる扉作動装置と、
前記入賞室内にあって球が通過可能な特定領域と同じく球が通過可能な非特定領域と、を有する入賞装置を備えた遊技機であって、
前記入賞装置は、前記特定領域に対する球の通過を許容する許容位置と、球の通過を阻止する阻止位置とに配置切換可能な切換部材と、同切換部材の配置を前記許容位置と阻止位置とに交互に切換える切換作動装置と、前記扉部材を閉じ位置にロックするロック手段と、を備え、
さらに前記ロック手段は、前記扉部材に一体状に設けられた係合部と、前記切換部材に一体状に設けられかつ前記係合部に係脱可能に係合して前記扉部材を閉じ位置にロックするロック部と、を備えて構成されている遊技機。
【請求項２】
請求項１に記載の遊技機であって、
前記切換部材は、切換作動装置によって進退動作されるとともに、後退端まで後退されることで許容位置に配置され、その許容位置から所定位置まで前進されることで阻止位置に配置され、しかも、前記切換部材が前進端位置まで前進されることで、前記切換部材のロック部が閉じ位置にある扉部材の係合部に係合して同扉部材を閉じ位置にロックする構成にしてあり、
さらに前記切換作動装置は、ソレノイドを駆動源とし、そのソレノイドには、同ソレノイドが励磁されたときに吸引されかつ前記切換部材を後退端の許容位置に後退させ、非励磁のときにはバネによって突出されて前記切換部材を前進させる作動軸を有する一方、
前記扉部材の係合部には、同扉部材が開いた状態において前記切換部材のロック部に当接して同切換部材を阻止位置に停止させるストッパ面が形成されている遊技機。
【請求項３】
請求項２に記載の遊技機であって、前記係合部は、扉部材の開閉軸線と略同一中心線上に中心点を有する略円弧状に形成され、その係合部の円弧面にストッパ面が形成され、扉部材が閉じ位置まで閉じたときには、前記ストッパ面が切換部材のロック部を越えかつ前記切換部材がバネによって前進端位置まで前進されそのロック部が前記係合部に係合可能な状態となるように前記係合部の円弧角度が設定されている遊技機。
【発明の詳細な説明】
【０００１】
【発明の属する技術分野】
この発明は、例えば、パチンコ機等の弾球遊技機とも呼ばれている遊技機に関する。
【０００２】
【従来の技術】
従来、遊技機（弾球遊技機）には、その遊技盤の盤面上を流れる球（パチンコ球）が流入可能な入賞口を有する入賞室と、その入賞室に流入した球が通過可能な特定領域と、入賞口に開閉可能に配設された扉部材とを備えた入賞装置（アタッカとも呼ばれることがある）が配設された構造のものが知られている。また、このような入賞装置において、扉部材は、ソレノイドを駆動源とする扉作動装置によって閉じ位置と開き位置とに開閉動作され、特定領域（Ｖゾーンと呼ばれている）には、切換作動装置によって特定領域に対する球の通過を許容する許容位置と、球の通過を阻止する阻止位置とに配置切換される切換部材が設けられているのが一般的であった。そして、遊技盤の盤面上に配設された図柄表示装置の抽選図柄が所定の図柄となり、大当たりとなったときには、ソレノイドが励磁され、扉部材が開かれるようになっている。また、所定数の球の流入あるいは所定時間経過すると、ソレノイドが非励磁の状態となり扉部材が閉じられる。そして、ソレノイドの励磁、非励磁の繰り返しによって所定のラウンド回数だけ扉部材が開閉し、大当たり遊技が終了するようになっている。前記したように構成される入賞装置の扉部材は、外部から開き方向に力が作用すると不測に開かれることがある。このため、例えば、遊技盤の前側に配設されたガラス扉側からピアノ線や薄板等の異物が差し込まれ、その異物によって扉部材が不測に開かれて不正行為が行われる場合があった。入賞装置の扉部材が不測に開かれることを防止するために、扉部材と扉用ソレノイドの作動軸との間にスライド部材、中間伝達部材及びロック部材をそれぞれ配設し、これらスライド部材と中間伝達部材を介して扉部材を開閉動作するとともに、スライド部材、中間伝達部材及びロック部材を介して扉部材を閉じ状態にロックする構造のものが知られている（例えば、特願２００１−２２４７７１参照）。
【０００３】
【発明が解決しようとする課題】
しかしながら、前記従来の入賞装置においては、扉部材と扉用ソレノイドの作動軸との間にスライド部材、中間伝達部材及びロック部材がそれぞれ配設される構造上、部品点数や組付工数が多くなりコスト高となる。
【０００４】
この発明の目的は、前記問題点に鑑み、特定領域に対する切換部材を有効に利用して入賞口の扉部材が不測に開かれることを防止することができる入賞装置を備えた遊技機を提供することである。
【０００５】
【課題を解決するための手段】
球が流入可能な入賞口を有する入賞室と、
前記入賞口に対して前後の向きに開閉可能に軸支持された扉部材と、
同扉部材を閉じ位置と開き位置とに開閉動作させる扉作動装置と、
前記入賞室内にあって球が通過可能な特定領域と同じく球が通過可能な非特定領域と、を有する入賞装置を備えた遊技機であって、
前記入賞装置は、前記特定領域に対する球の通過を許容する許容位置と、球の通過を阻止する阻止位置とに配置切換可能な切換部材と、同切換部材の配置を前記許容位置と阻止位置とに交互に切換える切換作動装置と、前記扉部材を閉じ位置にロックするロック手段と、を備え、
さらに前記ロック手段は、前記扉部材に一体状に設けられた係合部と、前記切換部材に一体状に設けられかつ前記係合部に係脱可能に係合して前記扉部材を閉じ位置にロックするロック部と、を備えて構成されている遊技機を提供する。
この遊技機は、扉部材と、切換部材との間にロック手段を設けるという簡単な構造によって扉部材を閉じ位置にロックすることができ、扉部材が不測に開かれる不具合を防止することができる。
【０００６】
また、扉部材の係合部と、切換部材のロック部によってロック手段を構成することができ、係合部やロック部をそれぞれ個別に形成して扉部材や切換部材に組み付ける手間を省くことができ、コスト低減に効果が大きい。
【０００７】
また、請求項１に記載の遊技機であって、
前記切換部材は、切換作動装置によって進退動作されるとともに、後退端まで後退されることで許容位置に配置され、その許容位置から所定位置まで前進されることで阻止位置に配置され、しかも、前記切換部材が前進端位置まで前進されることで、前記切換部材のロック部が閉じ位置にある扉部材の係合部に係合して同扉部材を閉じ位置にロックする構成にしてあり、
さらに前記切換作動装置は、ソレノイドを駆動源とし、そのソレノイドには、同ソレノイドが励磁されたときに吸引されかつ前記切換部材を後退端の許容位置に後退させ、非励磁のときにはバネによって突出されて前記切換部材を前進させる作動軸を有する一方、
前記扉部材の係合部には、同扉部材が開いた状態において前記切換部材のロック部に当接して同切換部材を阻止位置に停止させるストッパ面が形成されている遊技機を提供する。
この遊技機は、切換作動装置によって切換部材を進退動作させることによって、切換部材を後退端の許容位置と、その許容位置から所定位置まで前進した阻止位置とに配置切り換えすることができる。さらに、切換部材を前進端位置まで前進されることで、切換部材のロック部を閉じ位置にある扉部材の係合部に係合可能なロック位置に配置切り換えすることができる。
【０００８】
また、切換作動装置の駆動源をなすソレノイドの励磁・非励磁の極めて簡単な制御によって切換部材を後退端の許容位置と、所定だけ前進した阻止位置とに迅速に配置切換することができる。また、ソレノイドの作動軸によって切換部材を進退させるとともに、扉部材が開いた状態において、扉部材の係合部のストッパ面によって、切換部材を阻止位置に確実に停止させることができる。
【０００９】
また、請求項２に記載の遊技機であって、前記係合部は、扉部材の開閉軸線と略同一中心線上に中心点を有する略円弧状に形成され、その係合部の円弧面にストッパ面が形成され、扉部材が閉じ位置まで閉じたときには、前記ストッパ面が切換部材のロック部を越えかつ前記切換部材がバネによって前進端位置まで前進されそのロック部が前記係合部に係合可能な状態となるように前記係合部の円弧角度が設定されている遊技機を提供する。
この遊技機は、扉部材が開閉軸線を中心として閉じるときには、そのストッパ面が切換部材のロック部の前端に接しながら閉じ位置まで良好に回動して閉じられる。言い換えると、係合部のストッパ面が扉部材の閉じ動作の妨害物となる不具合を軽減することができ、扉部材の閉じ不良を防止することができる。また、扉部材の係合部のストッパ面が切換部材のロック部を越えると、切換部材がバネによって前進端位置のロック位置まで前進される。これによって、切換部材のロック部が扉部材の係合部に係合可能な状態となるロック位置に確実に配置され、そのロック位置に保持される。
【００１０】
【発明の実施の形態】
この発明の実施の形態を図面にしたがって説明する。遊技機としてのパチンコ機の遊技盤を正面（前面）から表した図１において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。遊技盤１０の遊技領域１５の略中央部には役物装置３０（センター役物と呼ばれることもある）が装着されている。この役物装置３０は、本体構成部材３１及び図柄表示装置３３を備えている。
【００１１】
役物装置３０の本体部をなす本体構成部材３１は、複数又は単数の構成部材によって形成され、遊技盤１０の略中央部に貫設された役物装着孔の前面開口部の周縁を塞ぐようにして枠状に構成され、略中央部には開口窓３２が形成されている。そして、本体構成部材３１はビス等によって遊技盤１０の前方からその遊技盤１０の前面に取り付けられるようになっている。また、本体構成部材３１の後側には、その開口窓３２に表示部３４を臨んで図柄表示装置３３が装着されている。この図柄表示装置３３の表示部３４の略全域には、特定図柄が変動表示される特定図柄表示領域が設けられている。また、表示部３４の一部には、普通図柄が変動表示される普通図柄表示部３５が設けられている。
【００１２】
また、本体構成部材３１には、遊技領域１５を流れる球が流入可能な球通路（ワープ通路と呼ばれることもある）や、その球通路の流出口から流出した球を受ける球受け棚３６が形成されている。この球受け棚３６は、球通路の流出口から流出した球を受ける波形凹凸状をなす上段部３７と、その上段部３７から流下した球を受ける波形凹凸状をなす下段部３８とを備えて上下２段に構成されている。そして、下段部３８の中央部には、球を流下案内する案内凹部３９が形成されている。この案内凹部３９は、役物装置３０の下方中央部に位置して遊技盤１０に装着された可変始動装置４０の可変始動口４１の直上に位置しており、案内凹部３９に案内されて流下した球が可変始動口４１に流入する確率が高くなるように構成されている。また、可変始動装置４０は、開閉部材４２による可変始動口４１を備え、その可変始動口４１に球が流入すると、図柄表示装置３３が作動し、図柄表示装置３３の表示部３４には特定図柄が変動表示されるようになっている。
【００１３】
また、遊技盤１０の遊技領域１５には、役物装置３０の上下左右側方の計４箇所に風車器１８がそれぞれ配設されるとともに、役物装置３０の片側（図１に向かって左側）に位置して普通図柄始動用ゲート口を有するゲート器２０が設けられている。このゲート器２０の普通図柄始動用ゲート口を球が通過することで、普通図柄表示部３５が作動して普通図柄の抽選が行われる。そして、普通図柄表示部３５の抽選に基づいて、可変始動装置４０の開閉部材４２が所定時間（例えば、１秒間）開放し、これによって可変始動装置４０の可変始動口４１に対し球が流入し易くなるようになっている。また、遊技盤１０の遊技領域１５には、その最下端に位置してアウト口４３が形成され、左右両側方に位置して装飾用レンズ２３を有するサイド装飾部材２２が配設されている。これらサイド装飾部材２２の所定位置には一般入賞口２４が設けられている。なお、遊技領域１５の略全域にわたって多数の釘が配設されている。
【００１４】
さて、遊技盤１０の遊技領域１５には、その可変始動装置４０の下方に接近して入賞装置５０（アタッカとも呼ばれる場合がある）が装着されている。図２に示すように、入賞装置５０の本体部５１は、複数又は単数の構成部材によって形成され、その本体部５１の前面板部において、遊技盤１０の前側から同遊技盤１０の入賞装置組付孔に装着されるようになっている。本体部５１の前面板部には、球が流入可能な横長四角形状をなす大入賞口とも呼ばれる入賞口５２が形成されいる。また、本体部５１の内部には入賞口５２において開口する入賞室５３が形成されている。入賞室５３の底部には、球が通過可能な特定領域５４（Ｖゾーンとも呼ばれることがある）設けられ、この特定領域５４には、球の通過を検出するための球通過孔５６を有する近接スイッチよりなる特定領域検出器５５が設けられている。また、入賞室５３の底部には、特定領域５４に隣接して非特定領域５７（カウント領域と呼ばれることがある）が設けられ、この非特定領域５７には球の通過を検出するための球通過孔５９を有する近接スイッチよりなるカウント検出器５８が設けられている。なお、入賞室５３の底部や左右両側部には、周知のように特定領域５４や非特定領域５７に球を導く案内部（図示しない）が適宜に設けられている。
【００１５】
図２〜図４に示すように、本体部５１の前面板部には、入賞口５２を開閉する横長四角形状の板状をなす扉部材６０が、その下部の左右両側部に突出された扉軸６１を支点として開閉動作可能に装着されている。この扉部材６０は、扉用ソレノイド７１を駆動源とする扉作動装置７０によって閉じ位置と開き位置とに開閉動作されるようになっている。この実施の形態において、図７に示すように、扉部材６０の片側寄りの後側には側方に突出する連動軸６３を有する連動部６２が一体に形成される一方、その連動部６２と扉用ソレノイド７１との間には、作動部材７２が配設されている。作動部材７２は、前後方向に延びかつ鉄板等の強磁性体よりなる板状の基体部７４と、その基体部７４の後端部の両側部幅方向に突出された係合部７３と、基体部７４の前端部から上方に向けて形成された扉作動部７５とを一体に備えている。また、作動部材７２は、その基体部７４が扉用ソレノイド７１の直下に位置し、かつ係合部７３がソレノイドブラケット７１ａの一部に形成された支持部に係合した状態で同係合部７３を支点として上下方向に傾動可能に組み付けられている。さらに、扉作動部７５は、扉部材６０の連動軸６３の上下部に押下部７６と突上部７７とを備えて側面形状で略コの字状に形成されている。
【００１６】
そして、図６に示すように、扉用ソレノイド７１が非励磁状態にあるときには、作動部材７２は、引張バネ７８と自重によって係合部７３を支点として下方に傾き、その扉作動部７５の押下部７６によって扉部材６０の連動軸６３が押し下げられることで扉部材６０が扉軸６１を支点として閉じられるようになっている。また、図７に示すように、大当たり時において、扉用ソレノイド７１が励磁されたときには、その扉用ソレノイド７１の磁力によって作動部材７２が、その係合部７３を支点として上方に傾働されながらその基体部７４が扉用ソレノイド７１の下面の吸引部に吸着される。これによって、扉作動部７５の突上部７７によって扉部材６０の連動軸６３が突き上げられることで扉部材６０が開き動作され、その後、扉部材６０が自重によってその連動軸６３が扉作動部７５の押下部７６に当接する開き位置まで開かれるようになっている。
【００１７】
図３〜図５に示すように、入賞室５３の特定領域５４には、切換作動装置９０によって特定領域５４に対する球の通過を許容する許容位置と、球の通過を阻止する阻止位置とに配置切換される切換部材８０が設けられている。この切換部材８０は、略水平の板状をなして前後方向に進退可能に本体部５１の案内部（図示しない）に支持されている。そして、図９に示すように、切換部材８０が後退端まで後退されることで許容位置に配置され、その許容位置から図１０に示すように、所定位置まで前進されることで阻止位置に配置されるようになっている。この切換部材８０の前端部には、同切換部材８０が許容位置に配置された状態において特定領域検出器５５の球通過孔５６と略同じ半径で同一中心をなす半円形の切欠部８１が形成されている（図３及び図４参照）。また、切換部材８０の後端部上面には、次に述べる切換用ソレノイド９１に対応する連結部８２ａが立設されており、その連結部８２ａには平断面略あり溝状の連結溝８２が形成されている。
【００１８】
切換部材８０を進退動作させる切換作動装置９０は、作動軸９２を備えた切換用ソレノイド９１によって構成されている。この切換用ソレノイド９１は、同切換用ソレノイド９１が励磁されたときにその作動軸９２が吸引され、非励磁のときにはバネ９４によって作動軸９２が前方に突出されるように、本体部５１のソレノイド取付部に装着されている。また、作動軸９２の先端にはフランジ状の連結部９３が設けられ、その連結部９３が切換部材８０後端の連結溝８２に差し込まれて連結されている。
【００１９】
扉部材６０と切換部材８０との間には、扉部材６０を閉じ位置にロックするロック手段が設けられている。ロック手段は、扉部材６０に一体状に設けられた係合部６５と、切換部材８０に一体状に設けられかつ係合部６５に係脱可能に係合して扉部材６０を閉じ位置にロックするロック部８３と、を備えて構成されている。すなわち、この実施の形態において、切換部材８０の前端部片側には、扉部材６０の係合部６５に対応するロック部８３が前方に向けて一体に延出されている。そして、図８に示すように、切換部材８０が前進端位置まで前進されることで、そのロック部８３が閉じ位置にある扉部材６０の係合部６５の上面に係合して同扉部材６０を閉じ位置にロックするようになっている。
【００２０】
一方、扉部材６０の係合部６５は、その扉部材６０の連動部６２に隣接して一体状に形成されている。この係合部６５には、扉部材６０が開いた状態において切換部材８０のロック部８３の先端に当接して切換部材８０を阻止位置に停止させるストッパ面６７が形成されている。この実施の形態おいて、係合部６５は、扉部材６０の扉軸６１の軸線と略同一中心線上に中心点を有する略円弧状に形成され、その係合部６５の円弧面にストッパ面６７が形成されている。また、図８に示すように、扉部材６０が閉じ位置まで閉じたときには、ストッパ面６７が切換部材８０のロック部８３の下方を越えかつ切換部材８０が切換用ソレノイド９１の作動軸９２とともにバネ９４によって前進端位置まで前進される。そして、ロック部８３が係合部６５の上方に接近しかつ係合部６５に係合可能な状態となるように係合部６５の円弧角度が設定されている。
【００２１】
また、この実施の形態において、切換部材８０の所定位置（図３では片側寄り下面）には、ロック解除片８４が突設されている。一方、図２と図８に示すように、入賞装置５０の本体部５１の前板部の所定位置には、前記ロック解除片８４の前方に位置してロック解除孔６８が貫設されている。そして、本体部５１の前板部の前方からロック解除孔６８にワイヤ等の線状材を挿入してロック解除片８４を後方に押し込むことによって切換部材８０が後退し、扉部材６０の係合部６５に対し切換部材８０のロック部８３の係合が外されてロック解除されるようになっている。
【００２２】
この実施の形態に係る遊技機としてのパチンコ機は上述したように構成される。したがって、パチンコ遊技の際、図示しない球発射装置から球発射通路１４に発射された球（パチンコ球）は、遊技領域１５の上部に打ち出され、多数の釘、風車器１８等に案内されながら遊技領域１５の下部に向けて流れる。遊技領域１５に打ち出された球のうち、一部の球はゲート器２０の普通図柄始動用ゲート口を通過したり、あるいは、一般入賞口２４、あるいは可変始動装置４０の可変始動口４１に流入する。また、前記各入賞口に流入しなかった多くの球は遊技領域１５の下部のアウト口４３に流入し、機外に排出される。
【００２３】
球がゲート器２０の普通図柄始動用ゲート口を通過すると、その球がセンサによって検出され、その検出信号が主制御装置（図示しないがパチンコ機の所定位置に設置される）に送られる。すると、その信号が図柄表示装置３３に伝達され、その表示部３４の一部に設けられた普通図柄表示部３５の図柄が変動する。そして普通図柄表示部３５には、抽選結果に基づく図柄が表示される。普通図柄表示部３５の図柄が当たり図柄となって表示されると、可変始動装置４０の可変始動口４１の開閉部材４２が所定時間（例えば、１秒間）開放して閉じる。可変始動装置４０の可変始動口４１に球が流入すると、その球がセンサによって検出され、その検出信号が主制御装置に送られる。すると、その信号が図柄表示装置３３に伝達され、これによって表示部３４に表示された図柄が変動し、設定時間後停止する。そして、表示部３４には抽選結果に基づく図柄が表示される。
【００２４】
表示部３４に表示された特定図柄が「大当たり図柄」、例えば「７・７・７」となって停止した場合、大当たりとなる。この際、主制御装置からの信号によって、まず、切換用ソレノイド９１が励磁され、その作動軸９２がバネ９４の弾発力に抗して後方に吸引されることで、切換部材８０が後退端の許容位置に配置切換される。切換部材８０が許容位置に配置されると略同時に、扉用ソレノイド７１が励磁され、その扉用ソレノイド７１の磁力によって作動部材７２が、その係合部７３を支点として上方に傾働されながらその基体部７４が扉用ソレノイド７１の下面の吸引部に吸着される。すると、扉作動部７５の突上部７７によって扉部材６０の連動軸６３が突き上げられることで扉部材６０が開き動作され、その後、扉部材６０が自重によってその連動軸６３が扉作動部７５の押下部７６に当接する開き位置まで開かれる（図７と図９参照）。
【００２５】
前記したように、入賞装置５０の扉部材６０が開かれ入賞口５２が開放されると、遊技盤１０上を流下する球が入賞口５２に入り易い状態となる。入賞口５２を経て入賞室５３に球が流入し、その球が特定領域５４と非特定領域５７のいずれかに流れる。特定領域５４に流れた球が特定領域検出器５５の球通過孔５６を通過すると、その球通過の検出信号が主制御装置に送られ、非特定領域５７に流れた球がカウント検出器５８の球通過孔５９を通過すると、その球通過の検出信号が主制御装置に送られる。特定領域検出器５５の球通過の検出信号が主制御装置に送られると、切換用ソレノイド９１が非励磁の状態となる。すると、図１０に示すように、作動軸９２がバネ９４によって前方に突出される。そして、作動軸９２とともに切換部材８０が阻止位置に向けて前進される。これによって切換部材８０のロック部８３の先端が扉部材６０の係合部６５のストッパ面６７に当接し、前記阻止位置に停止させる。
【００２６】
切換部材８０が阻止位置に配置されると、入賞室５３の球は特定領域５４に流れることなく非特定領域５７に流れる。そして、特定領域５４の特定領域検出器５５及び非特定領域５７のカウント検出器５８からそれぞれ送られた検出信号によって球が所定数（例えば、１０個）カウントされるか、あるいは、所定時間（例えば３０秒）経過すると、扉用ソレノイド７１が非励磁の状態にされる。すると、図６に示すように、作動部材７２は、引張バネ７８と自重によって係合部７３を支点として下方に傾き、その扉作動部７５の押下部７６によって扉部材６０の連動軸６３が押し下げられることで扉部材６０が閉じられる。図６と図８に示すように、扉部材６０が閉じられると、係合部６５のストッパ面６７が切換部材８０のロック部８３を越える。これに伴って、切換部材８０が切換用ソレノイド９１の作動軸９２とともにバネ９４の弾発力によって前進端位置まで前進されそのロック部８３が係合部６５の上方に接近して係合可能な状態、すなわちロック状態となる。ここで、大当たり遊技の１ラウンドが終了する。
【００２７】
特定領域検出器５５によって球通過が検出されることを条件として、大当たり遊技の２ラウンドが開始する。すなわち、１ラウンドが終了して閉じた扉部材６０が、所定時間（例えば、２秒程度）の経過によって再び前記したようして開かれ、大当たり遊技の２ラウンドが行われる。このように扉部材６０が所定のラウンド回数（例えば、最大１６回）開閉を繰り返すことで、大当たり遊技が終了する。
【００２８】
また、遊技の際、図８に示すように、入賞装置５０の扉部材６０が閉じた状態にあるときには、切換用ソレノイド９１の作動軸９２とともにバネ９４の弾発力によって切換部材８０が前進端位置まで前進され、そのロック部８３が扉部材６０の係合部６５の上方に接近してロック状態に保たれる。このため、扉部材６０に対し外部から開き方向の力が作用しても扉部材６０が不測に開かれることを防止することができる。例えば、遊技盤１０の前側に配設されたガラス扉（図示しない）側からピアノ線や薄板等の異物が差し込まれ、その異物によって扉部材６０が不測に開かれることを防止することができる。このため、扉部材６０が不測に開かれて不正行為が行われる不具合を防止することができる。
【００２９】
前記したように、扉部材６０に一体状に設けられた係合部６５と、切換部材８０に一体状に設けられたロック部８３によってロック手段を構成することができる。したがって、係合部６５やロック部８３をそれぞれ個別に形成して扉部材６０や切換部材８０に組み付ける手間を省くことができ、コスト低減に効果が大きい。また、切換作動装置９０の駆動源をなす切換用ソレノイド９１の励磁・非励磁の極めて簡単な制御によって切換部材８０を後退端の許容位置と、所定だけ前進した阻止位置とに迅速に配置切換することができる。また、切換用ソレノイド９１の作動軸９２によって切換部材８０を進退させるとともに、扉部材６０が開いた状態において、扉部材６０の係合部６５に形成されたストッパ面６７によって、切換部材８０を阻止位置に確実に停止させることができる。
【００３０】
また、扉部材６０の係合部６５は、扉部材６０の扉軸６１の軸線と略同一中心線上に中心点を有する略円弧状に形成され、その係合部６５の円弧面にストッパ面６７が形成されている。そして、扉部材６０が閉じ位置まで閉じたときには、ストッパ面６７が切換部材８０のロック部８３を越えるように係合部６５の円弧角度が設定されている。このため、扉部材６０が扉軸６１を中心として閉じるときには、そのストッパ面６７が切換部材８０のロック部８３の前端に接しながら閉じ位置まで良好に回動して閉じられる。言い換えると、係合部６５のストッパ面６７が扉部材６０の閉じ動作の妨害物となる不具合を軽減することができ、扉部材６０の閉じ不良を防止することができる。また、扉部材６０の係合部６５のストッパ面６７が切換部材８０のロック部８３を越えると、切換部材８０がバネ９４によって前進端位置まで前進される。これによって、切換部材８０のロック部８３が扉部材６０の係合部６５に係合可能な状態となるロック位置に確実に配置され、そのロック位置に保持される。このようにして切換部材８０の進退動作を利用して扉部材６０を閉じ状態に確実にロックすることができる。
【００３１】
なお、この発明は前記実施の形態に限定するものではない。例えば、前記実施の形態においては、扉部材６０に一体状に設けられた係合部６５と、切換部材８０に一体状に設けられたロック部８３によってロック手段を構成したが、係合部６５やロック部８３は必要に応じて別個に形成して扉部材６０や切換部材８０に取り付けるようにしてもよい。この場合においても、特定領域５４に対する切換部材８０を有効に利用して扉部材６０をロックすることができ、部品点数や組付工数の増加を抑えてコスト低減を図ることが可能となる。
【００３２】
【発明の効果】
以上述べたように、この発明によれば、特定領域に対する切換部材を有効に利用して扉部材をロックすることができ、部品点数や組付工数の増加を抑えてコスト低減を図ることが可能となる。
【図面の簡単な説明】
【図１】この発明の実施の形態に係る遊技機としてのパチンコ機の遊技盤を示す正面図である。
【図２】同じく入賞装置を拡大して示す正面図である。
【図３】同じく入賞装置の扉部材、扉作動装置、特定領域検出器、カウント検出器、切換部材及び切換作動装置の組み付け関係を前方から示す斜視図である。
【図４】同じく入賞装置の扉部材、扉作動装置、特定領域検出器、カウント検出器、切換部材及び切換作動装置の組み付け関係を後方から示す斜視図である。
【図５】同じく入賞装置の扉部材、扉作動装置、特定領域検出器、カウント検出器、切換部材及び切換作動装置の組み付け関係を上方から示す平面図である。
【図６】同じく入賞装置の扉部材が閉じられた状態を示す作用説明図である。
【図７】同じく入賞装置の扉部材が開かれた状態を示す作用説明図である。
【図８】同じく入賞装置の扉部材に対し切換部材がロック位置に配置されて扉部材が閉じ状態のロックされた状態を示す作用説明図である。
【図９】同じく入賞装置の切換部材が後退端の許容位置に配置され扉部材が開かれた状態を示す作用説明図である。
【図１０】同じく入賞装置の切換部材が阻止位置に配置切換された状態を示す作用説明図である。
【符号の説明】
５０ 入賞装置
５２ 入賞口
５３ 入賞室
５４ 特定領域
５７ 非特定領域
６０ 扉部材
６５ 係合部（ロック手段）
６７ ストッパ面
７０ 扉作動装置
８０ 切換部材
８３ ロック部（ロック手段）
９０ 切換作動装置
９１ 切換用のソレノイド
９２ 作動軸
９４ バネ
【図１】
0004189791.tif 000002
【図２】
0004189791.tif 000003
【図３】
0004189791.tif 000004
【図４】
0004189791.tif 000005
【図５】
0004189791.tif 000006
【図６】
0004189791.tif 000007
【図７】
0004189791.tif 000008
【図８】
0004189791.tif 000009
【図９】
0004189791.tif 000010
【図１０】
0004189791.tif 000011